【手続補正書】
【提出日】平成20年5月28日(2008.5.28)
【手続補正１】
【補正対象書類名】明細書
【補正対象項目名】発明の名称
【補正方法】変更
【補正の内容】
【発明の名称】遊技用システムおよび会員管理装置
【手続補正２】
【補正対象書類名】明細書
【補正対象項目名】特許請求の範囲
【補正方法】変更
【補正の内容】
【特許請求の範囲】
【請求項１】
会員遊技者を特定可能な会員識別情報に対応付けて各会員遊技者に関連する情報を記憶、管理する会員情報記憶手段と、該会員情報記憶手段に記憶された情報に基づく表示を行う表示手段と、を備える会員管理装置と、
前記会員識別情報が記録された会員用記録媒体を受付けて、該会員用記録媒体に記録されている会員識別情報の読み取りを行う読取手段と、該読取手段によって読み取られた会員識別情報を前記会員管理装置へ送信する送信手段と、を少なくとも備える遊技用装置と、
から成る遊技用システムであって、
前記会員情報記憶手段は、催事が行われる旨を示す催事情報の案内実績を各会員の前記会員識別情報に対応付けて記憶する案内実績記憶部と、前記催事の開催期間において、前記遊技用装置の読取手段により読み取られて前記送信手段から送信されてきた前記会員識別情報に基づいて、各会員の来場実績を各催事毎に記憶する来場実績記憶部と、を有し、
前記表示手段は、前記会員情報記憶手段の前記案内実績記憶部に記憶された各会員遊技者の案内実績と、前記来場実績記憶部に記憶された各会員遊技者の来場実績とを、各催事毎に表示する表示制御を行うことを特徴とする遊技用システム。
【請求項２】
前記会員管理装置は、前記会員情報記憶手段の前記案内実績記憶部に記憶された各会員遊技者の案内実績と、前記来場実績記憶部に記憶された各会員遊技者の来場実績とに基づいて、催事案内回数に対する来場回数の割合である来場率を算出する来場率算出手段を備え、前記表示手段は、該来場率算出手段によって算出された各催事毎の来場率を、各会員遊技者毎に表示する請求項１に記載の遊技用システム。
【請求項３】
前記会員管理装置は、前記来場率算出手段によって算出された来場率が所定値以上である会員遊技者の会員識別情報を催事情報の案内対象者として登録する案内対象登録手段を備える請求項２に記載の遊技用システム。
【請求項４】
前記会員情報記憶手段は、各会員遊技者のメールアドレスを記憶するメールアドレス記憶部を備え、
前記会員管理装置は、
前記案内対象登録手段にて登録された会員遊技者に対して送信する案内情報が記憶された案内情報記憶手段と、
前記メールアドレス記憶部に記憶されたメールアドレスに基づいて前記案内情報記憶手段に記憶された案内情報の送信を行う案内情報送信手段と、
を備える請求項３に記載の遊技用システム。
【請求項５】
前記案内情報記憶手段は、前記来場率に対応付けて異なる内容の複数の案内情報が記憶され、
前記案内情報送信手段は、前記案内情報記憶手段に記憶された複数の案内情報のうち、送信する会員遊技者の前記来場率が該当する案内情報を送信する請求項４に記載の遊技用システム。
【請求項６】
前記会員管理装置は、前記来場実績記憶部に記憶された各会員遊技者の来場実績に基づいて、催事ポイントを付与する催事ポイント付与手段を備える請求項１〜５のいずれかに記載の遊技用システム。
【請求項７】
前記会員管理装置は、所定の特典を付与するための特典付与条件を設定する特典付与条件設定手段と、前記送信手段によって送信された前記会員識別情報に基づいて、該特典付与条件設定手段にて設定された特典付与条件を満たした会員を報知する報知手段を備える請求項１〜６のいずれかに記載の遊技用システム。
【請求項８】
会員遊技者を特定可能な会員識別情報が記録された会員用記録媒体を受付けて、該会員用記録媒体に記録されている会員識別情報の読み取りを行う読取手段と、該読取手段によって読み取られた会員識別情報を前記会員管理装置へ送信する送信手段と、を少なくとも備える遊技用装置とデータ通信可能に接続され、前記会員識別情報に対応付けて各会員遊技者に関連する情報を記憶、管理する会員情報記憶手段と、該会員情報記憶手段に記憶された情報に基づく表示を行う表示手段と、を備える会員管理装置であって、
前記会員情報記憶手段は、催事が行われる旨を示す催事情報の案内実績を各会員の前記会員識別情報に対応付けて記憶する案内実績記憶部と、前記催事の開催期間において、前記遊技用装置の読取手段により読み取られて前記送信手段から送信されてきた前記会員識別情報に基づいて、各会員の来場実績を各催事毎に記憶する来場実績記憶部と、を有し、
前記表示手段は、前記会員情報記憶手段の前記案内実績記憶部に記憶された各会員遊技者の案内実績と、前記来場実績記憶部に記憶された各会員遊技者の来場実績とを、各催事毎に表示する表示制御を行うことを特徴とする会員管理装置。
【手続補正３】
【補正対象書類名】明細書
【補正対象項目名】０００５
【補正方法】変更
【補正の内容】
【０００５】
よって、本発明は上記した問題点に着目してなされたもので、各会員遊技者の個人単位で、各催事（イベント）毎の来店状況等の効果を把握することのできる遊技用システムおよび会員管理装置を提供することを目的としている。
【手続補正４】
【補正対象書類名】明細書
【補正対象項目名】００１２
【補正方法】変更
【補正の内容】
【００１２】
本発明の遊技用システムの前記会員管理装置は、所定の特典を付与するための特典付与条件を設定する特典付与条件設定手段と、前記送信手段によって送信された前記会員識別情報に基づいて、該特典付与条件設定手段にて設定された特典付与条件を満たした会員を報知する報知手段を備えることが好ましい。
このようにすれば、特典付与条件を適宜に設定することで、催事内容を多様化することができる。
本発明の会員管理装置は、会員遊技者を特定可能な会員識別情報が記録された会員用記録媒体を受付けて、該会員用記録媒体に記録されている会員識別情報の読み取りを行う読取手段と、該読取手段によって読み取られた会員識別情報を前記会員管理装置へ送信する送信手段と、を少なくとも備える遊技用装置とデータ通信可能に接続され、前記会員識別情報に対応付けて各会員遊技者に関連する情報を記憶、管理する会員情報記憶手段と、該会員情報記憶手段に記憶された情報に基づく表示を行う表示手段と、を備える会員管理装置であって、
前記会員情報記憶手段は、催事が行われる旨を示す催事情報の案内実績を各会員の前記会員識別情報に対応付けて記憶する案内実績記憶部と、前記催事の開催期間において、前記遊技用装置の読取手段により読み取られて前記送信手段から送信されてきた前記会員識別情報に基づいて、各会員の来場実績を各催事毎に記憶する来場実績記憶部と、を有し、
前記表示手段は、前記会員情報記憶手段の前記案内実績記憶部に記憶された各会員遊技者の案内実績と、前記来場実績記憶部に記憶された各会員遊技者の来場実績とを、各催事毎に表示する表示制御を行うことを特徴としている。
この特徴によれば、案内実績記憶部に記憶された各会員遊技者の案内実績と、前記来場実績記憶部に記憶された各会員遊技者の来場実績とが、各催事毎に前記表示手段に表示されるようになるため、各会員遊技者の個人単位における、各催事（イベント）毎の来店状況等の効果を簡便かつ正確に把握することができる。
【手続補正５】
【補正対象書類名】明細書
【補正対象項目名】００７０
【補正方法】変更
【補正の内容】
【００７０】
本発明の請求項７は、前記会員管理装置（会員管理コンピュータ１２０）は、所定の特典を付与するための特典付与条件を設定する特典付与条件設定手段（イベント設定画面）と、前記送信手段（通信部３３４）によって送信された前記会員識別情報（会員ＩＤ）に基づいて、該特典付与条件設定手段（イベント設定画面）にて設定された特典付与条件を満たした会員を報知する報知手段（多機能表示部３０１）を備える。
本発明の請求項８は、会員遊技者を特定可能な会員識別情報が記録された会員用記録媒体を受付けて、該会員用記録媒体に記録されている会員識別情報の読み取りを行う読取手段と、該読取手段によって読み取られた会員識別情報を前記会員管理装置へ送信する送信手段と、を少なくとも備える遊技用装置とデータ通信可能に接続され、前記会員識別情報に対応付けて各会員遊技者に関連する情報を記憶、管理する会員情報記憶手段と、該会員情報記憶手段に記憶された情報に基づく表示を行う表示手段と、を備える会員管理装置であって、前記会員情報記憶手段は、催事が行われる旨を示す催事情報の案内実績を各会員の前記会員識別情報に対応付けて記憶する案内実績記憶部と、前記催事の開催期間において、前記遊技用装置の読取手段により読み取られて前記送信手段から送信されてきた前記会員識別情報に基づいて、各会員の来場実績を各催事毎に記憶する来場実績記憶部と、を有し、前記表示手段は、前記会員情報記憶手段の前記案内実績記憶部に記憶された各会員遊技者の案内実績と、前記来場実績記憶部に記憶された各会員遊技者の来場実績とを、各催事毎に表示する表示制御を行う。
【手続補正６】
【補正対象書類名】明細書
【補正対象項目名】００８７
【補正方法】変更
【補正の内容】
【００８７】
（ｇ）請求項７の発明によれば、特典付与条件を適宜に設定することで、催事内容を多様化することができる。
（ｈ）請求項８の発明によれば、案内実績記憶部に記憶された各会員遊技者の案内実績と、前記来場実績記憶部に記憶された各会員遊技者の来場実績とが、各催事毎に前記表示手段に表示されるようになるため、各会員遊技者の個人単位における、各催事（イベント）毎の来店状況等の効果を簡便かつ正確に把握することができる。